(57)【要約】【課題】  接続を完了している電線にも装着することができ、小型でかつ情報量も多く、しかも電磁波等による弊害もなく、容易に読み、書きができ、更に電線からはずれにくいようにする。【解決手段】  本体部110とこれにつながるバンド部120とを有して弾性部材で形成される本体部110には、その厚さ方向に貫通する山型状のスリット113が形成され、バンド部120には幅方向両側に突出する突起121が長手方向複数箇所設けられていて、このスリット113に合わせてバンド部120を変形させて挿通し、挿通後、突起121が元の形に戻って広がることによりスリット113の上辺側に当接して抜け止めとなる。また、本体部110にはその厚さ方向に窪みが形成されていてこの窪みにＩＣタグ112が装着、固定される。【選択図】        図１
2006103724.tif 000002
【特許請求の範囲】
【請求項１】
電子装置間を接続する電線に対し、これら電線を束線すると共に、これら電線の接続上又は製造上の情報が分かるようにするタグ付き束線具であって、
予め定められた大きさ及び厚さを有する本体部と、この本体部につながるバンド部とを有して弾性部材で形成され、
前記本体部には、その厚さ方向に貫通する山型状のスリットが形成され、前記バンド部には、その幅方向両側に突出する突起が長手方向複数箇所に形成されていて、前記バンド部を前記本体部のスリットに、このスリットの形状に合わせて変形させ挿通して、このバンド部の突起部分が前記スリットを通り抜けた後に元の形状に戻って広がることにより、この突起の前記スリットへの挿入方向後端辺部分が前記スリットの上辺側部分に当接して抜け止めとなり、前記電線を束線してこの電線に固定される構造を有し、
かつ、前記本体部には、その厚さ方向に窪みが形成されていて、この窪みに、前記電線の接続上又は製造上の情報を書き込んだＩＣタグが装着、固定された構造を有する
ことを特徴とするタグ付き束線具。
【請求項２】
前記バンド部の突起は、その幅方向両側への突出量が、その挿入方向前側の辺部分で、挿入方向に対して前方側程小さくなるような形状として、前記本体部スリットへの挿入が容易となるようにした
請求項１記載のタグ付き束線具。
【請求項３】
前記ＩＣタグは、前記本体部の窪みに、圧入技術、熱圧着技術及び接着技術のうちの少なくとも１つの技術を用いて装着、固定される構造である
請求項１または請求項２記載のタグ付き束線具。
【発明の詳細な説明】
【技術分野】
【０００１】
本発明は、タグ付き束線具に関し、特に、電子装置間を接続する電線に対し、これら電線を束線すると共に、これら電線の接続上又は製造上の情報が分かるようにするタグ付き束線具に関する。
【背景技術】
【０００２】
電子装置間を接続する電線に対し、これら電線を束線すると共に、これら電線の接続上又は製造上の情報が分かるように、束線した電線にタグを付ける方法がよく用いられる。このような束線具はそれ自体にタグを備えているのが一般的である。このようなタグ付き束線具の従来例を図３（ａ）〜（ｃ）に示す。
【０００３】
図３（ａ）に示されている第１の例では、収縮チューブなどに、電線の接続上の情報、例えば、コネクタ２２０の接続ピン番号や、装置名、製造年月日、生産会社名といった製造上の情報を書き込んで、束線する電線２３１に通して電線２３１の先端に接続されているコンタクトをコネクタ２２０のハウジングに挿入し、接続、束線を完了するようになっている。このような収縮チューブを用いたタグ２４０では、既に接続を完了している電線に対しては装着することはできないし、タグ２４０に書き込める情報量は極めて少ないし、書き込まれた情報が読みにくい、という問題点がある。
【０００４】
図３（ｂ）、（ｃ）に示されている第２の例（タグ付き束線具３００ａ，３００ｂ）では、電線の束線部分が、表面に凹凸が形成された引っ掛け部３２１ａ、３２１ｂを配置したバンド部３２０ａ，３２０ｂと、その一端につながってこのバンド部３２０ａ，３２０ｂを通し、その引っ掛け部３２１ａ，３２１ｂで停止状態となって束線を行なうバンド挿通部３１０ａ，３１０ｂとを備えたタイラップ状となっており、このタイラップ状の部分に対し、バンド挿通部３１０ａ，３１０ｂに近接してデータキャリア保持部３３０ａ，３３０ｂが設けられていて、このデータキャリア保持部３３０ａ，３３０ｂに、電線の接続情報や製造情報を書き込んだデータキャリア３４０ａ，３４０ｂを挿入、保持固定する構造となっている。このデータキャリア３４０ａ，３４０ｂには、データを記憶するメモリと、外部との情報を送受信してメモリとの情報交換を行うアンテナコイル及び送受信回路とを備えている（例えば、特許文献１参照）。
【０００５】
この第２の例では、接続完了後の電線に対しても装着することができ、また情報はメモリに記憶されるので、その情報量も多く、また電磁波で情報の読み出しができるので、情報が読みにくくなる、ということは少ない。
【特許文献１】特開２００４−１１２８８６号公報（図１，図４）
【発明の開示】
【発明が解決しようとする課題】
【０００６】
上述した背景技術におけるタグ付き束線具は、収縮チューブを用いた第１の例では、接続を完了した電線に対してはこれを装着することができないし、書き込める情報量が極めて少ない上、書き込んだ情報が読みにくい、という問題点があり、データキャリア３４０ａ，３４０ｂを用いた第２の例（３００ａ，３００ｂ）では、電磁波を利用してメモリに対するデータの書き込み読み出しを行うため、データキャリア３４０ａ，３４０ｂにアンテナコイルや送受信回路（図示省略）を装備する必要があって、このデータキャリア３４０ａ，３４０ｂ自身が大きくなってしまう、という問題点や電磁波による各種の弊害が発生する、という問題点がある。
また、電線に引っ張られて引っ掛け部３２１ａ，３２１ｂがはずれ、電線からはずれ落ちてしまうという問題点もあった。
【０００７】
本発明は上記背景技術における問題点に鑑みて、接続を完了した電線にも装着することができ、小型で、かつ書き込める情報量も多く、しかも、電磁波等の弊害もなく容易に書き込み、読み出しができ、更に電線からはずれにくいタグ付き束線具を提供することにある。
【課題を解決するための手段】
【０００８】
本発明のタグ付き束線具は、
電子装置間を接続する電線に対し、これら電線を束線すると共に、これら電線の接続上又は製造上の情報が分かるようにするタグ付き束線具であって、
予め定められた大きさ及び厚さを有する本体部と、この本体部につながるバンド部とを有して弾性部材で形成され、
前記本体部には、その厚さ方向に貫通する山型状のスリットが形成され、前記バンド部には、その幅方向両側に突出する突起が長手方向複数箇所に形成されていて、前記バンド部を前記本体部のスリットに、このスリットの形状に合わせて変形させ挿通して、このバンド部の突起部分が前記スリットを通り抜けた後に元の形状に戻って広がることにより、この突起の前記スリットへの挿入方向後端辺部分が前記スリットの上辺側部分に当接して抜け止めとなり、前記電線を束線してこの電線に固定される構造を有し、
かつ、前記本体部には、その厚さ方向に窪みが形成されていて、この窪みに、前記電線の接続上又は製造上の情報を書き込んだＩＣタグが装着、固定された構造を有する。
【０００９】
また、前記バンド部の突起は、その幅方向両側への突出量が、その挿入方向前側の辺部分で、挿入方向に対して前方側程小さくなるような形状として、前記本体部スリットへの挿入が容易となるようにした構造を有している。
【００１０】
更にまた、前記ＩＣタグは、前記本体部の窪みに、圧入技術、熱圧着技術及び接着技術のうちの少なくとも１つの技術を用いて装着、固定される構造である構成を有している。
【発明の効果】
【００１１】
本発明のタグ付き束線具は、予め定められた大きさ厚さを有する本体部と、この本体部につながるバンド部とを有して弾性部材で形成され、
本体部には、その厚さ方向に貫通する山型状のスリットが形成され、バンド部には、その幅方向両側に突出する突起が複数箇所形成されていて、バンド部を本体部のスリットに、このスリットの形状に合わせて変形させ挿通して、このバンド部の突起部分がスリットを通り抜けた後に元の形状に戻って広がることにより、この突起のスリットへの挿入方向後端辺部分がスリットの上辺側部分に当接して抜け止めとなり、電線を束線して、この電線に固定される構造を有し、
かつ、本体部には、その厚さ方向に窪みが形成されていて、この窪みに、電線の接続上、製造上の情報を書き込んだＩＣタグが装着、固定された構造
となっているので、電子装置間の接続が完了した電線に対してもその電線を束線してその電線に装着させることができ、また、本体部に装着されるＩＣタグは、アンテナコイルのような大型化する部分を用いることなく、薄く小さく形成できる上、その蓄積できる情報量は極めて大きいので、小型でかつ書き込める情報量も多くすることができ、しかも、情報の読み出しはこのＩＣタグに読み取りヘッドを近接させて行うことができるので、電磁波等による弊害も無くすことができて、その書き込み、読み出しも容易にでき、更に、電線等に引っ張られても突起部により電線からはずれにくい、という効果がある。
【発明を実施するための最良の形態】
【００１２】
本発明を実施するための最良の形態は、
電子装置間を接続する電線に対し、これら電線を束線すると共に、これら電線の接続上又は製造上の情報が分かるようにするタグ付き束線具であって、
予め定められた大きさ及び厚さを有する本体部と、この本体部につながるバンド部とを有して弾性部材で形成され、
上記本体部には、その厚さ方向に貫通する山型状のスリットが形成され、上記バンド部には、その幅方向両側に突出する突起が長手方向複数箇所に形成されていて、上記バンド部を上記本体部のスリットに、このスリットの形状に合わせて変形させ挿通して、このバンド部の突起部分が上記スリットを通り抜けた後に元の形状に戻って広がることにより、この突起の上記スリットへの挿入方向後端辺部分が上記スリットの上辺側部分に当接して抜け止めとなり、上記電線を束線してこの電線に固定される構造を有し、
かつ、上記本体部には、その厚さ方向に窪みが形成されていて、この窪みに、上記電線の接続上又は製造上の情報を書き込んだＩＣタグが装着、固定された構造を有することを特徴とする。
【００１３】
また、上記バンド部の突起は、その幅方向両側への突出量が、その挿入方向前側の辺部分で、挿入方向に対して前方側程小さくなるような形状として、上記本体部スリットへの挿入が容易となるようにした構造を有し、
更にまた、上記ＩＣタグは、上記本体部の窪みに、圧入技術、熱圧着技術及び接着技術のうちの少なくとも１つの技術を用いて装着、固定される構造である構成を有している。
【実施例１】
【００１４】
次に本発明の実施例について図面を参照して説明する。
図１（ａ）〜（ｃ）は本発明の一実施例を示す、全体の平面図及び側面図、並びにその本体部部分の拡大平面図及び断面側面図、図２はこの実施例の、束線状態を説明するための全体の斜視図、及びそのＩＣチップ部分の斜視図である。
【００１５】
この実施例のタグ付き束線具は、その全体構造が予め定められた大きさ及び厚さ（厚さ寸法ｈ１）を有する本体部１１０と、この本体部につながるバンド部１２０と、を有して弾性部材で形成されている。
【００１６】
本体部１１０には、その厚さ方向に貫通する山型状のスリット１１３が形成され、一方、バンド部１２０には、その幅方向（幅寸法Ｗ２）両側に突出する突起１２１（突起の両端間寸法Ｗ１）が長手方向複数箇所に形成されている。なお、バンド部１２０の突起部分以外の幅は、本体部１１０に近い程大きくすることが多い（図１における、Ｗ３≧Ｗ２）。
【００１７】
そして、バンド部１２０を、本体部１１０のスリット１１３に、このスリット１１３の形状に合わせて変形させ挿通し、その突起１２１部分がスリット１１３を通り抜けた後に元の形状に戻って広がることにより、この突起１２１の挿入方向後端辺部分がスリット１１３の上辺側部分に当接して抜け止めとなり、電線を束線してこの電線に固定される構造となっている。
【００１８】
また、本体部１１０には、その厚さ方向に窪みが、タグ挿入固定用穴１１１として形成されていて、このタグ挿入固定用穴１１１に、電線の接続上又は製造上の情報（例えばコネクタピン番号、装置品名、製造年月日、生産会社等）を書き込んだＩＣタグ１１２が装着、固定された構造となっている。
【００１９】
本体部１１０のスリット１１３は、その下辺側の山型状の頂点に接する横線と、この横線に対し平行に、バンド部１２０の厚さ（本体部１１０も同一の厚さ）ｈ１より大きめの寸法ｈ２（ｈ２≧ｈ１）の横線を引き、この横線がスリット１１３の上辺側の縁と交差する点の幅をＷ４としたとき、この寸法Ｗ４は突起１２１の両端間寸法Ｗ１よりは小さく、バンド部１２０の幅寸法Ｗ２と等しいか、又は、大きくする。
【００２０】
このような形状及び寸法とすることにより、バンド部１２０をスリット１１３の形状に合わせて変形させ、これに挿入することができ、突起部１２１がスリット１１３を通過後は、この突起１２１の部分が元の形状に戻って広がり、その挿入方向後端辺部分がスリット１１３の上辺部分に当接して抜け止めとなり、この突起１２１をスリット１１３の形状に合わせて変形させない限り、電線に引っ張られたとしてもこの突起１２１部分がスリット１１３から抜け出して電線からはずれてしまう、というようなことはない。
【００２１】
なお、突起１２１の形状は、その幅方向両側への突出量が、その挿入方向前側の辺の部分で、挿入方向に対し前方側程小さくなるような形状とすることにより、そのスリット１１３への挿入を更に容易にすることができる。
【００２２】
また、ＩＣタグ１１２の本体部１１０の窪み、即ち、タグ挿入固定用穴１１１への装着、固定は、タグ挿入固定用穴１１１の寸法（縦方向又は横方向の寸法のうちの一方のみでもよい）をＩＣタグ１１２の寸法より小さめにしておいて、圧入、固定する方法とか、タグ挿入固定用穴１１１の寸法をＩＣタグ１１２の寸法より大きめに形成しておいて、熱圧着や接着剤を用いて固定する方法などがある。
【図面の簡単な説明】
【００２３】
【図１】本発明の一実施例を示す、全体の平面図及び側面図、並びにその本体部分の拡大平面図、及び断面図である。
【図２】本発明の一実施例の、束線状態を説明するための全体の斜視図、及びそのＩＣチップ部分の斜視図である。
【図３】背景技術におけるタグ付き束線具の、第１の例を示す平面図、第２の例２例を示す斜視図である。
【符号の説明】
【００２４】
１１０  本体部
１１１  タグ挿入固定用穴
１１２  ＩＣタグ
１１３  スリット
１２０  バンド部
１２１  突起
２１０  電子装置本体
２２０  コネクタ
２３０  接続電線束
２３１  電線
２４０  タグ
３００ａ，３００ｂ  タグ付き束線具
３１０ａ，３１０ｂ  バンド挿通部
３２０ａ，３２０ｂ  バンド部
３２１ａ，３２１ｂ  引っ掛け部
３３０ａ，３３０ｂ  データキャリア保持部
３４０ａ，３４０ｂ  データキャリア
【図１】
2006103724.tif 000003
【図２】
2006103724.tif 000004
【図３】
2006103724.tif 000005